(57)【要約】【課題】迅速且つ的確に自分の好みに合ったカメラアングルで撮影可能な自動写真撮影装置を提供する。【解決手段】撮影カメラ１と、前記撮影カメラ１により撮影された画像を出力する写真プリンタ５を備えてなる自動写真撮影装置であって、被写体Ｍに対するカメラアングルを調整するカメラアングル調整機構１０と、所定のカメラアングルで撮影された被写体画像に基づいて、異なるカメラアングルでの複数のサンプル画像を編集生成する画像シミュレータ２０と、前記サンプル画像を表示するモニタ３と、前記カメラアングルを前記サンプル画像から選択されたサンプル画像に対応するように調整するカメラアングル制御手段３０と、調整されたカメラアングルで撮影する撮影制御手段４０を備えてなる。【選択図】図２
2007147671.tif 000002
【特許請求の範囲】
【請求項１】
撮影カメラと、前記撮影カメラにより撮影された画像をプリント出力する写真プリンタを備えてなる自動写真撮影装置であって、
被写体に対するカメラアングルを調整するカメラアングル調整機構と、所定のカメラアングルで撮影された基準被写体画像に基づいて、異なるカメラアングルでの複数のサンプル画像を編集生成する画像シミュレータと、前記画像シミュレータにより撮影されたサンプル画像を表示するモニタと、前記カメラアングルを前記モニタに表示されたサンプル画像から選択されたサンプル画像に対応するカメラアングルに調整するカメラアングル制御手段と、前記カメラアングル制御手段により調整されたカメラアングルで撮影する撮影制御手段を備えてなる自動写真撮影装置。
【請求項２】
前記カメラアングル調整機構は前記撮影カメラの被写体に対するカメラポジションを変更調整するカメラポジション調整機構で構成されている請求項１記載の自動写真撮影装置。
【請求項３】
前記画像シミュレータは前記基準被写体画像から人物の顔の構成要素を検出する顔構成要素検出手段と、前記顔構成要素検出手段により検出された顔構成要素の配置及び形状をカメラアングルに基づいて編集生成する画像処理手段で構成されている請求項１または２記載の自動写真撮影装置。
【発明の詳細な説明】
【技術分野】
【０００１】
本発明は、撮影カメラと、前記撮影カメラにより撮影された画像をプリント出力する写真プリンタを備えてなる自動写真撮影装置に関する。
【背景技術】
【０００２】
従来、自動写真撮影装置として、撮影ボックスに固定された撮影カメラと前記撮影カメラにより撮影された画像をプリント出力する写真プリンタを備えた証明写真撮影装置が提案されている。
【０００３】
上述の自動写真撮影装置では、装置に設けられた操作部を操作することにより前記撮影カメラで仮撮影された写真画像がモニタに表示されるように構成されており、操作者はモニタに表示された被写体である自分の写真画像が好みのカメラアングルとなるように自分の撮影姿勢を変更しながら複数回の試行錯誤を繰り返し、最終的にプリント出力を得るものであった。
【０００４】
【特許文献１】特開２００３−１２１９１６（Ｐ２００３−１２１９１６Ａ）号公報
【発明の開示】
【発明が解決しようとする課題】
【０００５】
しかし、好みの写真画像となるような撮影姿勢が当初から意識できるものではなく、試行錯誤のため撮影に多大な時間を要し、最終的に不満を抱きながら妥協せざるを得ない場合も多々あった。
【０００６】
また、専門の写真店で証明写真を写してもらう場合であっても、本人が満足するような写真を得るためには複数回の撮影を要し、写真店にとっても本人にとっても多大な時間を消費し、思うような撮影結果が得られないと大きなストレスを受けるという不都合があった。
【０００７】
本発明は、上述した従来の問題点に鑑み、迅速且つ的確に自分の好みに合ったカメラアングルで撮影可能な自動写真撮影装置を提供する点にある。
【課題を解決するための手段】
【０００８】
上述の目的を達成するため、本発明による自動写真撮影装置の第一の特徴構成は、特許請求の範囲の書類の請求項１に記載した通り、撮影カメラと、前記撮影カメラにより撮影された画像をプリント出力する写真プリンタを備えてなる自動写真撮影装置であって、被写体に対するカメラアングルを調整するカメラアングル調整機構と、所定のカメラアングルで撮影された基準被写体画像に基づいて、異なるカメラアングルでの複数のサンプル画像を編集生成する画像シミュレータと、前記画像シミュレータにより撮影されたサンプル画像を表示するモニタと、前記カメラアングルを前記モニタに表示されたサンプル画像から選択されたサンプル画像に対応するカメラアングルに調整するカメラアングル制御手段と、前記カメラアングル制御手段により調整されたカメラアングルで撮影する撮影制御手段を備えてなる点にある。
【０００９】
上述の構成によれば、前記自動写真撮影装置は、所定のカメラアングルにおける一回の撮影で異なるカメラアングルでの複数の画像を生成することから、顧客は前記複数の画像より自分に最適な証明写真画像を選択することができ、撮影回数を最小にすることが可能となるのである。その結果、顧客は気に入った写真を迅速に得ることができる、つまり、顧客に対して短時間で満足を提供することができるのである。
【００１０】
同第二の特徴構成は、同請求項２に記載した通り、上述の第一特徴構成に加えて、前記カメラアングル調整機構は前記撮影カメラの被写体に対するカメラポジションを変更調整するカメラポジション調整機構で構成されている点にある。
【００１１】
上述の構成によれば、最適な証明写真画像を撮るための位置に向かって撮影カメラが自動的に移動するので、被写体が静止したままで最適な写真を撮ることが可能となるのである。
【００１２】
同第三の特徴構成は、同請求項３に記載した通り、上述の第一または第二特徴構成に加えて、前記画像シミュレータは前記基準被写体画像から人物の顔の構成要素を検出する顔構成要素検出手段と、前記顔構成要素検出手段により検出された顔構成要素の配置及び形状をカメラアングルに基づいて編集生成する画像処理手段で構成されている点にある。
【００１３】
上述の構成によれば、異なるカメラアングルでの複数の画像を、被写体画像における顔の構成要素の配置や形状に基づいて編集生成することから、被写体の表情変化等を可能な限り正確に再現することが可能となる。また、所定のカメラアングルでの一枚の仮撮影のみで多様な角度からの写真画像を生成することができるので、時間と手間を節約することが可能となるのである。
【発明の効果】
【００１４】
以上説明した通り、本発明によれば、迅速且つ的確に自分の好みに合ったカメラアングルで撮影可能な自動写真撮影装置を提供することができるようになった。
【発明を実施するための最良の形態】
【００１５】
以下に本発明による自動写真撮影装置を説明する。自動写真撮影装置は、図１に示すように、撮影カメラ１と、被写体Ｍが着座するシート２と、前記撮影カメラ１により撮影された画像を表示するモニタ３と、前記モニタ３の画面上に配置されたタッチパネルで構成された操作部４と、前記撮影カメラ１により撮影された画像をプリント出力する写真プリンタ５等を撮影ボックス６に収容して構成されている。
【００１６】
さらに、図２に示すように、被写体に対するカメラアングルを調整するカメラアングル調整機構１０と、所定のカメラアングルで撮影された基準被写体画像に基づいて、異なるカメラアングルでの複数のサンプル画像を編集生成する画像シミュレータ２０とが設けられ、前記画像シミュレータ２０により撮影されたサンプル画像が前記モニタ３に表示されるように構成されるとともに、前記カメラアングルを、前記モニタ３に表示されたサンプル画像から選択されたサンプル画像に対応するカメラアングルに調整するカメラアングル制御手段３０と、前記カメラアングル制御手段３０により調整されたカメラアングルで撮影する撮影制御手段４０を備えて構成されている。
【００１７】
前記カメラアングル調整機構１０は前記撮影カメラ１の被写体に対するカメラポジションを変更調整するカメラポジション調整機構１１で構成されている。詳述すると、前記カメラポジション調整機構１１は、図３に示すように、前記撮影カメラ１が位置１ａと位置１ｂの間を往復動作するように取り付けられている横行機構１２と、前記横行機構１２が位置１２ａと位置１２ｂの間を往復動作するように取り付けられている縦行機構１３とを備えて構成されている。つまり、前記撮影カメラ１は点線で描かれた内部の領域１４に存在することが可能となる。
【００１８】
具体的には、前記撮影カメラ１は、前記領域１４の何れに存在していても、一点鎖線１５に示すように被写体Ｍを向くように構成されている。例えば、前記横行機構１２は、図１４（ａ）に示すように、前記撮影カメラ１が横行車輪１２１を介して、被写体Ｍに対して正対するように設けられている弧状の横行ガイドレール１２２に取り付けられて構成されており、前記撮影カメラ１は横行駆動機構（本例では撮影カメラ１に内蔵とする）によって駆動され、前記横行ガイドレール１２２に沿って移動する。尚、図１４（ａ）において、後述する縦行ガイドレール１３３の形状は弧状として描いていない。
【００１９】
また、前記縦行機構１３は、図１４（ｂ）に示すように、前記横行ガイドレール１２２と一体に設けられている縦行駆動機構１３１が、縦行車輪１３２を介して、被写体Ｍに対して正対するように設けられている弧状の縦行ガイドレール１３３に取り付けられて構成されており、前記横行ガイドレール１２２は前記縦行駆動機構１３１によって駆動され、前記縦行ガイドレール１３３に沿って移動する。尚、図１４（ｂ）において、前記横行ガイドレール１２２の形状は弧状として描いていない。
【００２０】
前記画像シミュレータ２０は、図２に示すように、所定のカメラアングルとして縦横移動範囲の中心部で撮影された前記基準被写体画像に基づいて、人物の顔の構成要素を検出する顔構成要素検出手段２１と、前記顔構成要素検出手段２１により検出された顔構成要素の配置及び形状をカメラアングルに基づいて編集生成する画像処理手段２２と、前記画像処理手段２２で編集生成された複数のサンプル画像を前記モニタ３に表示出力するインターフェース２３を備えて構成されている。
【００２１】
詳述すると、前記顔構成要素検出手段２１は、例えば、前記基準被写体画像の画像データから抽出された濃度エッジやカラーエッジに基づいて顔領域を抽出した上で、前記顔領域の画像データと予め準備された目、鼻、口、耳等の複数の要素配置パターンとの一致度を評価することによって人物の顔の構成要素を検出する等といった公知の技術を用いて実現されるものである。
【００２２】
前記画像処理手段２２は、カメラポジション調整機構１１により調整される複数のカメラアングルから被写体を撮影した場合に、前記基準被写体画像の顔構成要素の形状及び配置をどのように変化させて配置すべきかを規定する画像データベースを備えており、詳述すると、前記顔構成要素検出手段２１によって検出された前記基準被写体画像の顔の構成要素を、前記画像データベースと照合させることにより、基準被写体を撮影した所定のカメラアングルとは別のカメラアングルで撮影した画像や、基準被写体を撮影したときの被写体の表情とは異なる表情の画像を編集生成するのである。つまり、所定のカメラアングルで撮影した一枚の画像データから、複数の画像データを編集生成するのである。
【００２３】
前記操作部４は、前記モニタ３と前記モニタ３の画面上に配置されたタッチパネルで構成され、図４に示すように、写真サイズの選択や前記基準被写体画像を撮影する仮撮影実行スイッチが表示される仮撮影操作画面と、図５に示すように、前記モニタ画面に表示された複数のサンプル画像が表示されその何れかを選択するカメラアングル選択画面と、図６に示すように、選択されたカメラアングルで本撮影を開始する本撮影スイッチが表示される本撮影操作画面等が切替可能なコンピュータを備えた操作制御手段４１で構成されている。
【００２４】
以下、上述の自動写真撮影装置により証明写真を撮影する手順について、図７に示すフローチャートに基づいて説明する。
【００２５】
証明写真を撮影しようとする顧客は、前記撮影ボックス６に設置されたシート２に着座して、モニタ３に表示された図４に示すような仮撮影操作画面を操作することで証明写真のサイズや枚数等を決定し（Ｓ１）、仮撮影実行ボタンを押して仮撮影を実行する（Ｓ２）。
【００２６】
仮撮影が実行されると、前記画像シミュレータ２０において、顔構成要素検出手段２１が、前記仮撮影により撮影された結果画像である基準被写体画像に基づいて被写体である人物の顔の構成要素を検出し、画像処理手段２２が、検出された顔構成要素の配置及び形状に基づいて複数の異なるカメラアングルによるサンプル画像を編集生成する（Ｓ３）。そして、前記画像処理手段２２で編集生成された複数のサンプル画像を前記モニタ３に出力して、図５に示すようなカメラアングル選択画面を表示する（Ｓ４）。
【００２７】
顧客は前記カメラアングル選択画面に表示されたサンプル画像より本撮影において使用したいカメラアングルによるサンプル画像を選択する（Ｓ５）。サンプル画像が選択されると、カメラアングル制御手段３０は、選択されたサンプル画像に対応するカメラアングルとなるようにカメラアングル調整機構１０を動作させる（Ｓ６）。その後、顧客は図６に示すような本撮影操作画面において本撮影を実行する（Ｓ７）。
【００２８】
以下に別実施形態を説明する。上述した実施形態では、カメラアングル調整機構１０が、前記撮影カメラ１の被写体Ｍに対するカメラポジションを変更調整するカメラポジション調整機構１１で構成されるものを説明したが、図８に示すように、前記シートを回転または上下伸縮させるシート調整機構１２で構成されるものであってもよい。
【００２９】
具体的には、図９に示すように、シート２に回転機構２ａと上下伸縮機構２ｂが備えられており、被写体Ｍに対するカメラアングルの調整において、位置が固定された撮影カメラ１に対して、前記シート２が回転や上下伸縮することによって前記撮影カメラ１との相対位置を所定のカメラアングルに調整するのである。
【００３０】
つまり、前記シート２の前記撮影カメラ１に対する相対位置を、最適な証明写真画像を撮ることができる位置に合わせるように前記シート２が移動するので、前記撮影カメラ１を静止させたままで最適な写真を撮ることが可能となるのである。
【００３１】
また、図１０に示すように、カメラアングル調整機構１０が、カメラポジション調整機構１１とシート調整機構１２の双方を備え、両機構が協働してカメラアングルが調整されるように構成されるものであってもよい。
【００３２】
さらに、図１１に示すように、カメラアングル調整機構１０が、カメラポジション調整機構１１またはシート調整機構１２、あるいはその双方に加えて、目線案内表示部１２を備えた構成であってもよい。
【００３３】
具体的には、図１２に示すように、撮影カメラ１と被写体Ｍの撮影線上に窓部６を設ける。前記窓部６は、前記被写体Ｍの姿を映すことができるような、例えば鏡状の材質であって、さらに、映った被写体Ｍに対して目線の位置を指示する目線ガイド７を表示させる構成とする。前記目線ガイド７は、前記カメラアングル選択画面において顧客が選択したサンプル画像に合うカメラアングルとなるように、前記撮影カメラ１の位置が設定された場合に、被写体Ｍの目線がカメラ目線となるような位置をあらかじめ計算して表示させる。
【００３４】
例えば、顧客（被写体Ｍ）が図５に示すカメラアングル選択画面において僅かに横を向いたアングルのサンプル画像Ｇを選択した場合、カメラアングル制御手段３０は前記被写体Ｍが僅かに横を向いた写真を撮影するようにカメラアングルを調整するので、前記被写体Ｍから前記窓部６を見た場合、図１３に示すように前記被写体Ｍが僅かに横を向いているように映る。そして、このような場合でも前記被写体Ｍの目線がカメラ目線とすることを可能にするために、前記窓部６には前記目線ガイド７が表示されており、前記被写体Ｍは前記目線ガイド７に目線を合わせることによって、カメラ目線にて写真撮影を実行できるのである。
【００３５】
つまり、前記撮影カメラ１や前記シート２の移動に伴う前記被写体Ｍと前記撮影カメラ１との相対位置の変化や、前記被写体Ｍ自身の視線の移動等によって、前記被写体Ｍの目線が前記撮影カメラ１と合っていない場合でも、前記目線案内表示部１２が前記被写体Ｍの目線を正しい位置に合わせるように前記被写体Ｍに対して目線を指示するので、前記被写体Ｍが前記撮影カメラ１の方を向いた写真を撮ることが可能となるのである。
【００３６】
尚、上述した実施形態は、本発明の一例に過ぎず、本発明の作用効果を奏する範囲において各ブロックの具体的構成等を適宜変更設計できることは言うまでもない。
【図面の簡単な説明】
【００３７】
【図１】自動写真撮影装置の概観構成の説明図
【図２】自動写真撮影装置のブロック構成図
【図３】カメラポジション調整機構の構成の説明図
【図４】仮撮影操作画面の説明図
【図５】カメラアングル選択画面の説明図
【図６】本撮影操作画面の説明図
【図７】証明写真を撮影する手順について説明するためのフローチャート
【図８】シート調整機構を備えた自動写真撮影装置のブロック構成図
【図９】（ａ）はシートの回転移動を説明するためにシートを上面から見た構成を示し、（ｂ）はシートの上下伸縮を説明するためにシートを側面から見た構成を示す説明図
【図１０】カメラポジション調整機構とシート調整機構を備えた自動写真撮影装置のブロック構成図
【図１１】目線案内表示部を備えた自動写真撮影装置のブロック構成図
【図１２】目線案内表示部を備えた自動写真撮影装置の概観構成の説明図
【図１３】目線案内表示部の説明図
【図１４】（ａ）はカメラポジション調整機構を上面から見た構成を示し、（ｂ）はカメラポジション調整機構を側面から見た構成を示す説明図
【符号の説明】
【００３８】
１０：カメラアングル調整機構
１１：カメラポジション調整機構
１２：シート調整機構
１３：目線案内表示部
２０：画像シミュレータ
３０：カメラアングル制御手段
４０：撮影制御手段
１：撮影カメラ
３：モニタ
５：写真プリンタ
【図１】
2007147671.tif 000003
【図２】
2007147671.tif 000004
【図３】
2007147671.tif 000005
【図４】
2007147671.tif 000006
【図５】
2007147671.tif 000007
【図６】
2007147671.tif 000008
【図７】
2007147671.tif 000009
【図８】
2007147671.tif 000010
【図９】
2007147671.tif 000011
【図１０】
2007147671.tif 000012
【図１１】
2007147671.tif 000013
【図１２】
2007147671.tif 000014
【図１４】
2007147671.tif 000015
【図１３】
2007147671.tif 000016